(57)【要約】【課題】外部電源が切断された直後に再投入される場合であっても照明負荷の閃光の発生を回避できる照明用電源装置を提供すること。【解決手段】力率改善回路２０からの直流電力をコンデンサＣ２が蓄積し、この直流電力を降圧チョッパ回路３０が降圧してコンデンサＣ３に蓄積する。補助電源回路７０は、コンデンサＣ３の電荷を利用して、降圧チョッパ回路３０をオンオフ制御するＰＷＭ制御回路５０に電源を供給する。監視手段（Ｒ１，Ｒ２）は力率改善回路２０への入力電圧の有無を監視する。マイコン４０は監視信号に基づいて、電源切断から所定時間の経過後に電源の再投入があったことを認識した場合に、複数段階で増加する電流指令値をＰＷＭ制御回路５０に出力する。ＰＷＭ制御回路５０は電流指令値に基づいて降圧チョッパ回路３０を制御して、コンデンサＣ３に接続されたＬＥＤ素子列１２を徐々に増光する。【選択図】      図２
2014022083.tif 000002
【特許請求の範囲】
【請求項１】
入力電流を断続することによって力率を改善する力率改善回路と、
前記力率改善回路からの直流電力を蓄積する力率改善用コンデンサと、
降圧用スイッチング素子を用いて前記力率改善用コンデンサからの直流電流を断続することによって降圧する降圧回路と、
降圧された直流電力を蓄積する降圧コンデンサと、
前記力率改善用コンデンサに蓄積された電荷を利用する補助電源回路と、
前記補助電源回路からの電源供給を受けて前記降圧用スイッチング素子のオンオフ駆動を制御する制御回路と、を備え、前記降圧コンデンサの端子間に接続された照明負荷に負荷電流を供給する照明用電源装置であって、
前記力率改善回路の入力側において入力電圧の有無を監視する監視手段と、
前記監視手段からの監視信号に基づいて電源切断から所定時間の経過後に電源の再投入があったことを認識した場合に、複数段階で増加する電流指令値を前記制御回路に出力するコンピュータと、を備え、
前記制御回路は、前記電流指令値に基づいて前記降圧用スイッチング素子のオンオフ駆動を制御することを特徴とする照明用電源装置。
【請求項２】
請求項１記載の照明用電源装置において、
前記コンピュータは、前記電源切断からの所定時間として３０ミリ秒以上、５００ミリ秒以内の時間を記憶していることを特徴とする照明用電源装置。
【請求項３】
請求項１または２記載の照明用電源装置において、
前記コンピュータは、ゼロからフルに達するまでの前記電流指令値の出力時間が０．５秒以上、５秒以内になるように、前記電流指令値を出力することを特徴とする照明用電源装置。
【発明の詳細な説明】
【技術分野】
【０００１】
本発明は、発光ダイオード（ＬＥＤ）素子などの照明負荷を点灯制御するための照明用電源装置に関し、特に外部電源が切断された直後に再接続された場合のＬＥＤ素子の発光開始からフル発光までの立ち上がり特性の改良技術に関する。
【背景技術】
【０００２】
一般的に印加電圧に対するＬＥＤ素子の光出力の応答性は、マイクロ秒オーダーである。放電灯などの照明器具に比べてその応答性は非常に高速である。そのため電源投入の際にＬＥＤ素子が瞬時に光を出力すると、人にフラッシュランプ（閃光）のような不快感を与えてしまう。最近では、電源投入の際にＬＥＤ素子への負荷電流を徐々に増加させて光出力を緩やかに増加させる点灯制御によって不快感を与えないようにすることができるＬＥＤ電源回路が高級機種向けを中心に販売されるようになってきた。
【０００３】
特許文献１の図５に記載のＬＥＤ電源装置は、全波整流回路と昇圧チョッパ回路と降圧チョッパ回路を組合せたものであり、外部電源の投入時に負荷電流を徐々に増加させることによってＬＥＤ素子の閃光を抑制する制御を有している。具体的には、ＬＥＤ素子の検出電流値と目標電流値とを比較するオペアンプを備えており、目標電流値が検出電流値よりも高い場合にオペアンプの出力端子電圧が時間経過とともに上昇するようになっている。降圧チョッパ回路用の制御ＩＣはオペアンプの出力端子電圧の上昇に応じてスイッチング素子のオン比率を増大させるので、この結果ＬＥＤ素子の負荷電流が徐々に増加する。目標電流値はマイクロコンピュータからのＰＷＭ信号に基づいて生成されるが、ＰＷＭ信号をオペアンプに印加する直流電圧（目標電流値）に変換するためにＰＷＭ信号平滑回路が設けられている。
【０００４】
しかし、特許文献１の電源装置では、制御ＩＣとオペアンプの起動開始時間が必ずしも一致しないために、電源投入時に制御ＩＣよりも早くオペアンプが起動することもある。そうすると、制御ＩＣの起動時点で既にオペアンプの出力端子電圧が高い値に達してしまい、ＬＥＤ素子に瞬間的な過大電流が流れて閃光が発生するおそれがある。これを防止するために特許文献１の電源装置では、オペアンプの反転入力端子にオフセット信号印加回路を設けている。また、電源投入後から制御ＩＣの起動までの期間はオペアンプの出力端子電圧が減少するように、マイクロコンピュータにＰＷＭ信号のオン比率を演算させる必要があった。
【０００５】
このように特許文献１の電源装置は、電源投入時の閃光の発生を抑制するためにオペアンプやＰＷＭ信号平滑回路を要するだけでなく、様々な状況において閃光の発生を回避するためのオフセット信号印加回路や特別なプログラムも必要とするため、その制御回路の構成が複雑になっていた。
【０００６】
そこで、発明者らは、特許文献１と同等の変換回路（全波整流回路、昇圧チョッパ回路、降圧チョッパ回路の組合せ）を有する電源装置において、よりシンプルな構成の制御回路によって電源投入時の閃光発生を回避できる電源装置の開発を目指した。その結果、図４(Ａ)のように電源投入により点灯開始してから所定の増光期間をかけてＬＥＤ素子の光出力を増加させることができる電源装置を製造した。図４(Ａ)〜(Ｃ)はマイクロコンピュータがＰＷＭ制御回路に対して出力する電流シーケンス指令値を示す。この電源装置では外部電源を切断してから一定時間が経過すれば、電源を再投入した場合においても同様の立ち上がり特性が得られた。
【先行技術文献】
【特許文献】
【０００７】
【特許文献１】特開２０１１−２４９１７４号公報（図５、６）
【発明の概要】
【発明が解決しようとする課題】
【０００８】
しかしながら、図４(Ｂ)のように電源切断から短時間で電源再投入した場合には、ＬＥＤ素子の光出力が瞬時に上昇してしまい閃光が発生してしまった。同様のことは図４(Ｃ)のように電源再投入を電源切断から間髪入れずに実行した場合にも起きてしまった。このように電源切断の直後に再投入される場合には、ＬＥＤ素子の閃光を回避できないという課題があった。
【０００９】
本発明は上記の課題に鑑みてなされたものであり、外部電源が切断された直後に再投入される場合であっても照明負荷の閃光の発生を回避できる照明用電源装置を提供することを目的とする。
【課題を解決するための手段】
【００１０】
発明者らは、複数段階で増加する電流指令値を演算するマイクロコンピュータを用いて、電源投入後にスイッチング用の制御ＩＣ（ＰＷＭ制御回路）が立ち上がった場合は、マイクロコンピュータからの電流指令値によって制御ＩＣを駆動させることにより、負荷電流を徐々に増加させるようにした。しかし電源切断後であっても制御ＩＣ用への電源供給が失われない期間が存在し、その期間に再投入が実行される可能性があった。これまでのマイクロコンピュータは電源が切断されたことを直接認識できるようにはなっていなかったので、制御ＩＣ用への電源供給が失われていない期間に再投入が実行されてもマイクロコンピュータが必要な電流指令値を出力しなかったという点に着目した。
【００１１】
すなわち、本発明に係る照明用電源装置は、
入力電流を断続することによって力率を改善する力率改善回路と、
前記力率改善回路からの直流電力を蓄積する力率改善用コンデンサと、
降圧用スイッチング素子を用いて前記力率改善用コンデンサからの直流電流を断続することによって降圧する降圧回路と、
降圧された直流電力を蓄積する降圧コンデンサと、
前記力率改善用コンデンサに蓄積された電荷を利用する補助電源回路と、
前記補助電源回路からの電源供給を受けて前記降圧用スイッチング素子のオンオフ駆動を制御する制御回路と、を備え、前記降圧コンデンサの端子間に接続された照明負荷に負荷電流を供給する。
さらに、前記力率改善回路の入力側において入力電圧の有無を監視する監視手段と、
前記監視手段からの監視信号に基づいて電源切断から所定時間の経過後に電源の再投入があったことを認識した場合に、複数段階で増加する電流指令値を前記制御回路に出力するコンピュータと、を備える。
そして、前記制御回路は、前記電流指令値に基づいて前記降圧用スイッチング素子のオンオフ駆動を制御することを特徴とする。
【００１２】
前記コンピュータは、前記電源切断からの所定時間として３０ミリ秒以上、５００ミリ秒以内の時間を記憶していることが好ましい。
前記コンピュータは、ゼロからフルに達するまでの前記電流指令値の出力時間が０．５秒以上、５秒以内になるように前記電流指令値を出力することが好ましい。
【発明の効果】
【００１３】
本発明の構成によれば、コンピュータは補助電源が存続している限り、監視信号に基づいて電源の有無を認識することができる。そのため、電源の再投入を認識した場合は、補助電源存続期間内であっても電流指令値を演算して出力することができる。ただし、電源切断から短時間は負荷照明が減光することなく点灯を維持するため、その点灯維持期間は電流指令値を出力する必要がない。そこで、コンピュータは監視信号に基づいて前回電源が切断されたことを認識した時は、適当なカウンタを使って電源切断からの経過時間の計時を開始する。そして点灯維持期間に相当する所定時間を経過してから電源の再投入が実行されたことを認識した場合に、コンピュータは電流指令値を出力することにした。コンピュータが予め記憶する所定時間は、３０ミリ秒以上、５００ミリ秒以内になるように設定する。
【００１４】
このようにコンピュータが交流電源の入力の有無を常に監視できるようにして、制御用の補助電源が維持されている期間内であっても電源の再投入を認識した際には必要な電流指令値が出力されるようになった。また、電源切断後の一定期間は点灯が維持されることから、コンピュータは点灯維持期間中に再投入を認識しても電流指令値を出力しないようにした。この結果、コンピュータからの適切な電流指令値によって制御回路のオンオフ制御を制限することができるようになり、外部電源が切断された直後に再投入される場合であっても閃光の発生を回避することができる。
【図面の簡単な説明】
【００１５】
【図１】本発明に係るＬＥＤ電源装置の全体構成を示す回路図である。
【図２】前記ＬＥＤ電源装置のマイクロコンピュータが出力する点灯シーケンス図であり、(Ａ)〜(Ｃ)は電源切断から再投入までの経過時間がそれぞれ異なる場合における点灯シーケンスの違いを示す図である。
【図３】前記ＬＥＤ電源の力率改善用コンデンサの残留電荷の経時変化を概略的に示す図。
【図４】(Ａ)〜(Ｃ)は本発明の課題を説明するための点灯シーケンス図である。
【発明を実施するための形態】
【００１６】
以下、図面に基づき本発明の好適な実施形態について説明する。図１に本実施形態に係るＬＥＤ照明器具の全体構成を示す。ＬＥＤ照明器具は、外部の交流電源ＡＣからの交流電力を直流電力に変化するＬＥＤ電源装置１０と、この直流電力によって点灯するＬＥＤ素子列１２とを有する。なお、通常は交流電源ＡＣとＬＥＤ電源装置１０の間にスイッチあって、電源投入と電源切断との切り換えが行なわれる。
【００１７】
＜ＬＥＤ電源装置の全体構成＞
本発明の照明用電源装置は、少なくとも力率改善回路と降圧回路を備えたものを前提としている。その一例として図１に力率改善回路２０と降圧チョッパ回路（降圧回路に相当）３０の組合せであるＬＥＤ電源装置１０を示した。
図１のＬＥＤ電源装置１０は、交流電源ＡＣからの入力電力Ｐ１を変換してＬＥＤ素子列１２の点灯に必要な駆動電力Ｐ２を生成するために、全波整流回路ＤＢと、バイパスコンデンサＣ１と、力率改善回路２０と、力率改善用コンデンサＣ２と、降圧チョッパ回路３０と、出力コンデンサＣ３とを有する。また、検出機能のために電圧検出手段（Ｒ１、Ｒ２）と電流検出手段（Ｒ３）を備える。さらに、制御機能のためにマイクロコンピュータ４０（以降でマイコンと呼ぶ）とＰＷＭ制御回路５０と、ＦＥＴドライバ６０と、補助電源回路７０を備える。
【００１８】
全波整流回路ＤＢはダイオードブリッジなどで構成され交流電源ＡＣからの交流電力を整流する。バイパスコンデンサＣ１は全波整流回路ＤＢの出力端同士を結び、全波整流回路ＤＢからの整流電流を部分平滑するため、および、力率改善回路２０のスイッチング素子のオンオフ駆動により断続された電流の影響が交流電源側に及ぶことを防止するために、高周波成分通流用フィルタとして設けられている。バイパスコンデンサＣ１の端子間は、抵抗Ｒ１、Ｒ２の直列回路で結ばれている。
【００１９】
力率改善回路２０は、全波整流回路ＤＢの後段に接続され、全波整流回路ＤＢに入力される交流電流を歪みのない正弦波に整形し、振幅一定の安定化した直流電流を高効率で生成する。また、力率改善回路２０の出力端子間に接続された力率改善用コンデンサＣ２には直流電圧によって静電エネルギーが蓄積される。図１では力率改善回路２０の具体的な構成を省略するが、例えば昇圧チョッパ回路で構成する場合を簡単に説明する。昇圧チョッパ回路は、バイパスコンデンサＣ１の正極端子に一端部が接続されたインダクタと、このインダクタの他端部とバイパスコンデンサＣ１の負極端子との間に接続されたスイッチング素子と、前記インダクタとスイッチング素子間の接続点にアノードが接続されたダイオードとを備えている。力率改善用コンデンサＣ２は、ダイオードのカソードとバイパスコンデンサＣ１の負極端子とを結ぶようにして設けられている。昇圧チョッパ回路のスイッチング素子が整流電流を断続することによってこれを昇圧し、ＬＥＤ素子列１２に必要な負荷電圧を超える直流電圧を生成する。そして力率改善用コンデンサＣ２は昇圧された直流電圧によって充電される。
【００２０】
降圧チョッパ回路３０は、力率改善用コンデンサＣ２の端子間に接続されて直流電流を受けてＬＥＤ素子列１２に必要な負荷電流を生成する。この際にコンデンサＣ２の端子間電圧は必要な負荷電圧まで降圧される。降圧チョッパ回路３０は、スイッチング素子（ＭＯＳＦＥＴ）Ｑ１とインダクタＬ１とダイオードＤ１から成り、次のように接続されている。まず、コンデンサＣ２の正極端子にスイッチング素子Ｑ１とインダクタＬ１が直列に接続されている。この直列接続の他端は、後段の出力コンデンサＣ３の正極端子に結ばれている。また、スイッチング素子Ｑ１とインダクタＬ１との接続点には、ダイオードＤ１のカソードが接続されている。ダイオードＤ１のアノードは、力率改善用コンデンサＣ２の負極端子（グラウンドライン）に結ばれている。また、ダイオードＤ１のアノード側と後段の出力コンデンサＣ３の負極側端子も結ばれている。ただし、ダイオードＤ１のアノードと出力コンデンサＣ３の負極端子との間には抵抗Ｒ３が設けられている。
ＬＥＤ素子列１２は出力コンデンサＣ３の端子間に並列に接続されている。
【００２１】
スイッチング素子Ｑ１は、数十ｋＨｚの高い周波数でオンオフして力率改善用コンデンサＣ２からの直流電流を断続する。スイッチング素子Ｑ１がオン状態である期間に、このスイッチング素子Ｑ１を流れる直流電流によってインダクタＬ１に磁気エネルギーが蓄積される。そして、スイッチング素子Ｑ１がオンからオフに切り替わった際に、インダクタＬ１の磁気エネルギーの放出によってインダクタＬ１には電流が連続して流れようとする。すなわち、インダクタＬ１とＬＥＤ素子列１２とダイオードＤ１の閉ループを電流が流れる。
【００２２】
このように降圧チョッパ回路３０では、高周波で切り替わるスイッチング素子Ｑ１がオンになると、力率改善用コンデンサＣ２の正極端子からの直流電流が、スイッチング素子Ｑ１→インダクタＬ１→ＬＥＤ素子列１２の順番でコンデンサＣ２の負極端子に流れて、インダクタＬ１に磁気エネルギーが蓄積される。また、スイッチング素子Ｑ１がオフになると、直流電流の供給が遮断され、スイッチング素子Ｑ１とインダクタＬ１の接続点における電圧が略零になる。そして、インダクタＬ１の磁気エネルギーが電流となって放出され、ＬＥＤ素子列１２→ダイオードＤ１の順番でインダクタＬ１に戻るようになっている。出力コンデンサＣ３は電解コンデンサによって構成され、降圧チョッパ回路３０で降圧された直流電圧によって充電される。この出力コンデンサＣ３に蓄えられたエネルギーを用いて、ＬＥＤ素子列１２に安定した駆動電力Ｐ２が供給される。なお、降圧回路としては降圧チョッパ回路３０に限らず、フライバック変換回路を採用してもよい。
【００２３】
電圧検出手段は、抵抗Ｒ１、Ｒ２の直列接続回路である。この直列接続は、全波整流回路ＤＢの出力端子同士を結んでいる。抵抗Ｒ１の端子間電圧を駆動電圧の分圧Ｖ３として検出してマイコン４０に与える。分圧Ｖ３の検出値からノイズを除去するためのノイズ除去回路４２が設けられている。このノイズ除去回路４２により力率改善回路２０のスイッチング動作に伴うパルスや、全波整流回路ＤＢを通過して侵入する外部ノイズなどが除去される。アナログ量のＶ３値はＡ／Ｄを介してデジタル化されてマイコン４０に入力される。マイコン４０はＶ３値に基づいて力率改善回路２０への入力電圧の有無を認識するから、電圧検出手段（Ｒ１、Ｒ２）は本発明の監視手段に相当する。
【００２４】
電流検出手段は抵抗Ｒ３を有し、出力コンデンサＣ３の負極側端子と降圧チョッパ回路３０のグラウンドラインとを結んでいる。抵抗Ｒ３の端子間電圧Ｖ４を検出してＰＷＭ制御回路５０に与える。電流検出手段（Ｒ３）とＰＷＭ制御回路５０の間には端子間電圧Ｖ４の検出値からノイズを除去するためのノイズ除去回路５２が設けられている。なお後述するＰＷＭ制御回路５０において、抵抗Ｒ３での電圧降下に基づいて降圧チョッパ回路３０の供給電流Ｉ２が算出される。
【００２５】
制御機能を確保するために本実施形態では、Ｖ３値を受け取るマイコン４０、マイコン４０で生成される電流シーケンス指令値を電圧信号に変換するＤ／Ａ変換部、電流指令値およびＶ４値を受け取るＰＷＭ制御回路５０及びＰＷＭ制御回路５０からのＰＷＭ制御信号を受け取るＦＥＴドライバ６０からなる構成を採用している。
【００２６】
補助電源回路７０は力率改善用コンデンサＣ２に蓄積された電荷エネルギーを利用して制御用電源を供給する。ＰＷＭ制御回路５０、ＦＥＴドライバ６０及びマイコン４０の駆動用電源は補助電源回路７０から供給される。補助電源回路７０は、例えば専用のＤＣ−ＤＣ変換回路を用いてコンデンサＣ２に蓄積された電荷を必要な補助電源に変換する。
【００２７】
通常点灯時の動作（定電流制御）
ＰＷＭ制御回路５０はスイッチング制御ＩＣなどで構成され、通常点灯時（点灯開始および再点灯開始を除く）においては、降圧チョッパ回路３０の供給電流Ｉ２が目標電流値（マイコン４０からの指令値。後述する本発明に係るマイコン４０からの電流シーケンス指令値とは区別される。）になるように、供給電流Ｉ２の検出値との差分に応じたＰＷＭ制御信号を演算して出力する。このＰＷＭ制御回路５０は本発明のスイッチング制御回路に相当する。ＦＥＴドライバ６０は、補助電源回路７０からの動作電圧を用いてＰＷＭ制御回路５０からのＰＷＭ制御信号に基づいた駆動電圧を出力してスイッチング素子Ｑ１をオンオフ駆動させる。
【００２８】
点灯開始および再点灯開始時の動作（スイッチング動作の制限）
マイコン４０は、電源投入時（点灯開始および再点灯開始の両方を含む）にＰＷＭ制御回路５０によるスイッチング素子Ｑ１のオンオフ駆動を制限するための電流シーケンス指令値を出力する。まず、前回電源が切断された際のマイコン４０の動作から説明する。マイコン４０は、監視信号であるＶ３値に基づいて交流電源が切断されたことを認識したら経過時間のカウントを開始する。このカウントはマイコン４０への電源供給が継続する限り実行される。この経過時間が所定時間を経過する前に電源の再投入を認識した場合は、マイコン４０は電流シーケンス指令値を出力しない。所定時間の詳細は後述する。この場合、ＰＷＭ制御回路５０は通常点灯時と同じように定電流制御を再開する。
【００２９】
一方、電源切断からの経過時間が所定時間を経過してから電源の再投入を認識した場合は、マイコン４０は電流シーケンス指令値を演算してＰＷＭ制御回路５０に出力する。この場合の点灯シーケンス図を図２(Ａ)〜(Ｃ)に示す。電流シーケンス指令値は複数段階で増加する目標電流値に相当する。例えば図２(Ａ)のように電源切断から所定時間を経過した後に電源再投入が実行される場合は、マイコン４０は、ゼロからフルに達するまでの目標電流値の出力時間が０．５秒以上、５秒以内になるように、複数段階で増加する電流シーケンス指令値を出力する。この出力時間は図２(Ａ)に示す増光期間に相当する。特に出力時間を２秒に設定するのが好ましい。
【００３０】
本実施形態ではＬＥＤ素子列１２に流す負荷電流値と光出力はほぼ比例関係にあるという前提で、負荷電流値によって光出力が制御される。電流シーケンス指令値はデジタル量であるため、Ｄ／Ａによりアナログ化されて電圧信号として出力される。通常点灯時には指令値の入力が無い為、上述したようにＰＷＭ制御回路５０は供給電流Ｉ２の検出値と目標電流値の差分に応じたＰＷＭ制御信号を演算して出力する。しかし、マイコン４０からの電流シーケンス指令値の入力が有る場合は、ＰＷＭ制御回路５０はその指令値に基づくＰＷＭ制御信号を演算して出力する。
【００３１】
ここで本発明の理解を容易にするため、図３を使って力率改善用コンデンサＣ２の残留電荷の大まかな変化を説明する。電源切断まで残留電荷はコンデンサ容量の上限付近になっている。電源切断後の点灯下限まで低下するまでは減光することなく点灯が維持される。この点灯維持期間は３０〜５００ミリ秒間である。点灯下限で光出力がゼロになった後、残留電荷はゆっくりと減少して補助電源の下限に達する。本発明では電源切断から補助電源下限に達するまでの期間を補助電源存続期間と呼ぶ。この存続期間は電源装置に応じて差があり、中には１０秒程度存続するものもある。再び電源が接続されれば力率改善回路２０の動作によって力率改善用コンデンサＣ２が充電され、残留電荷はすぐに上限付近に回復する。
【００３２】
発明者らは上記の力率改善用コンデンサＣ２の特性に着目することによって、従来の電源装置がマイコンを搭載してスイッチング制限機能を備えているにも関わらず電源切断の直後に電源の再投入が実行されるとスイッチング制限機能が働かない原因を突き止めた。電源切断によって光出力がゼロになった後も補助電源存続期間中は、マイコン４０やＰＷＭ制御回路５０の電源が生きている。従来のマイコンはＶ３値に基づく交流電源の有無を監視していないため、電源切断によって光出力が低下またはゼロになっていることを認識することができなかった。言い換えると従来のマイコンは補助電源が存続している限り、光出力の低下は無いと判断してしまい、補助電源存続期間中に電源の再投入が実行されてもＰＷＭ制御回路５０に電流シーケンス指令値を出せなかった。
【００３３】
これに対して、本発明の電源装置においては、マイコン４０は、補助電源が存続している限り、Ｖ３値（監視信号）に基づいて電源が接続されたことを認識することができる。接続を認識した場合は、補助電源存続期間内であっても電流シーケンス指令値を演算して出力することができる。ただし、図３に示すように、電源切断から短時間は減光することなく点灯を維持する。そのため、点灯維持期間は電流シーケンス指令値を出力する必要がない。
【００３４】
マイコン４０は、Ｖ３値に基づいて電源切断を認識したら適当なカウンタなどを使って、電源切断からの経過時間の計時を開始する。マイコン４０に予め記憶させておいた所定時間は、力率改善用コンデンサＣ２の残留電荷が点灯維持の下限に達するまでの時間に相当し、３０ミリ秒以上、５００ミリ秒以内になるように設定するのがよい。
【００３５】
このようにマイコン４０が交流電源の入力の有無を常に監視するようにして、電源の再投入を認識できるようにしたので、制御用の補助電源が維持されているかいないかに関わらず、必要な電流シーケンス信号を出力できるようになった。よって、図２(Ｂ)に示すように補助電源が存続している期間に交流電源が再投入されたとしても、光出力が一気に増加することなく増光期間をかけて徐々に明るくなるような制御が可能になった。また、図２(Ｃ)に示すように、交流電源の切断後にＬＥＤ素子列１２の減光が始まった直後に、再投入されるような場合であっても、図２(Ｂ)と同様にＰＷＭ制御回路５０のオンオフ制御を制限することができるので、ＬＥＤ素子列１２の閃光の発生を回避することができるようになった。なお、図２(Ｂ)、(Ｃ)に示した補助電源の存続期間は、電源切断後に電源再投入が行なわれなかった場合の存続期間を示しており、図２(Ｂ)、(Ｃ)のように再投入が行なわれた場合は図示した存続期間に関わらず補助電源は存続し続ける。
【００３６】
なお、本実施形態では制御機能をマイコン４０、ＰＷＭ制御回路５０、ＦＥＴドライバ６０の組合せで実行する場合を説明したが、例えばＰＷＭユニットおよび積分回路を内蔵するマイコンを用いて、マイコンに電流値の指令値を直流電圧として出力させるようにしてもよい。この構成ではマイコンはＰＷＭユニットの出力値を積分回路に通して直流電圧にしてから出力し、ＰＷＭ制御回路はマイコンからの直流電圧に基づいてＰＷＭ制御信号を生成する。
【００３７】
また、外部電源が交流電源ＡＣであり、全波整流回路ＤＢと力率改善回路２０との間の電圧を検出する電圧検出回路（Ｒ１，Ｒ２）が本発明の監視手段であるとする説明を行なった。しかし、これに限らず、例えば外部電源が直流バッテリーなどの直流電源ＤＣであり、力率改善回路２０に代えて昇圧チョッパ回路を設けて、昇圧用コンデンサ（Ｃ２に相当）に蓄えられた直流電力が降圧チョッパ回路３０に供給されるという構成の照明用電源装置であってもよい。この場合、昇圧チョッパ回路の入力電圧を検出する検出回路が本発明の監視手段に相当する。このような照明用電源装置も本発明に含まれる。
【符号の説明】
【００３８】
１０      ＬＥＤ電源装置（照明用電源装置）
１２      ＬＥＤ素子列（照明負荷）
２０      力率改善回路
３０      降圧チョッパ回路（降圧回路）
４０      マイクロコンピュータ（コンピュータ）
５０      ＰＷＭ制御回路（制御回路）
Ｃ２      力率改善用コンデンサ
Ｃ３      出力コンデンサ（降圧コンデンサ）
Ｒ１，Ｒ２  電圧検出回路（監視手段）
【図１】
2014022083.tif 000003
【図２】
2014022083.tif 000004
【図３】
2014022083.tif 000005
【図４】
2014022083.tif 000006
【手続補正書】
【提出日】平成24年7月18日(2012.7.18)
【手続補正１】
【補正対象書類名】図面
【補正対象項目名】全図
【補正方法】変更
【補正の内容】
【図１】
2014022083.tif 000007
【図２】
2014022083.tif 000008
【図３】
2014022083.tif 000009
【図４】
2014022083.tif 000010